(57)【要約】【課題】携帯電話機などの精密電子機器は、限界温度や限界湿度を超えると故障が発生する可能性が高く、炎天下の自動車のダッシュボード上に放置することや、水没させること、冠水させること、サウナ風呂中へ持ち込むことなどは厳禁されているが、これらの行為が原因で故障が生じたとき、原因を明確に特定出来ず、クレーム修理の対象になるか否かトラブルになる場合が多かったが、これらを同時並行的に検知出来るコンパクトなセンサーは見当たらなかった。【構成】予め設定された温度で融解する粉末状のワックスと粘ちょう剤とを練り合わせた、常温において不透明な感温物質からなる感温体と、予め設定された相対湿度を超過したとき、その事実を不可逆的に表示する感湿体とを同一の基材上に配置して不可逆的感温感湿センサーを構成した。【選択図】  図２
2009300090.tif 000002
【特許請求の範囲】
【請求項１】
予め設定された温度で融解する粉末状のワックスと粘ちょう剤とを練り合わせた、常温において不透明な感温物質からなる感温体と、予め設定された相対湿度を超過したとき、その事実を不可逆的に表示する感湿体とを同一の基材上に配置したことを特徴とする不可逆的感温感湿センサー。
【発明の詳細な説明】
【技術分野】
【０００１】
この発明は、感温感湿センサー、詳しくは、設定温度超過の事実及び設定相対湿度超過の事実を共に不可逆的に表示することが出来るシール状のセンサーに関するものである。
【背景技術】
【０００２】
シール状をなした不可逆的温度センサーは、各種機器類の所望部位に簡単に貼付出来、狭小なスペースにも適用可能で、電源等を必要としないので、各種機器の温度管理の為、あらゆる産業分野において広く使用されている。
【０００３】
又、予め設定された相対湿度超過の事実を不可逆的に表示するシール状をなした不可逆的感湿センサーは、船舶による輸送時の湿度管理など、各種機器の湿度管理の為、あらゆる産業分野において広く使用されている。
【０００４】
一方、携帯電話機などの精密電子機器においては、限界を超えた高温や限界を超えた高い湿度中に晒されると、その機能に重大な障害が発生することは避けられず、炎天下の自動車のダッシュボード上や高温高湿度のサウナ風呂中に持ち込むことなどが厳禁されていることは、周知の通りである。又、水没や冠水させた場合にも、同様に、機能に重大な障害が発生することは言うまでもない。
【０００５】
そして、これら機器類の場合、故障が生じた際に、クレームの対象としてメーカー側が修理の責任を負わねばならない場合と、誤った使用によるものとして、メーカー側が免責される場合とがあり、その認定を巡ってメーカー側とユーザー側とで争いとなる場合もあった。
【０００６】
落下の際の衝撃による故障の場合には、これら機器の外部にその痕跡が残ることが多く、責任の所在を特定し易いが、高温雰囲気中に晒された場合の故障つまり高温障害や、高湿度雰囲気中に晒された場合の故障つまり高湿度障害などは、外観上の変化がほとんど認められぬ為、原因探求が困難となり、故障についての責任の所在が明らかにならず、修理負担を巡り、トラブルとなり易かった。
【特許文献１】特開２００２−１１１８３３
【特許文献２】特開２００６−２９９４５
【非特許文献１】なし
【発明の開示】
【発明が解決しようとする課題】
【０００７】
この為、予め設定された相対湿度超過の事実を不可逆的に表示する感湿センサーや同じく予め設定された温度超過の事実を不可逆的に表示する感温センサーを、これら機器の内部の目立たぬ部位に予め取り付けておき、修理依頼時に、これらをチェックする様にすれば、故障原因を明確に特定出来、責任の所在も明らかになるので、一部ではこれらセンサーを取り付ける試みもなされている。
【０００８】
しかしながら、感湿センサーはこれら機器類の雰囲気湿度を感知するものであるので、当然に吸湿性を有しているのに対し、感温センサーは湿度や湿気に弱いものが多く、両者を組み合わせて、同時並行的に機能させることは実際上かなりむずかしかった。
【０００９】
従来のシール状の感温センサーの多くは、ワックスや化学物質の熱融解作用を利用し、これらが熱融解して和紙などのマスキング材に浸み込むことにより、マスキング材を透明化させ、その下に位置している彩色面が透けて見える様にすることにより、設定温度超過の事実を視覚的に表示しており、マスキング材は湿気に弱く、高湿度中に晒されると、マスキング材が水分を吸って透けてしまい、誤発色してしまう場合があった。
【００１０】
一方、シート状の感湿センサーの多くは、吸湿性のあるシート状基材上に着色された潮解性の物質を固定しておき、この物質が設定温度超過によって液状化して周囲に滲み出す現象によって、設定湿度超過の事実を事実を視覚的かつ不可逆的に表示するものであり、基材が吸湿性を有することは機能性不可欠である。従って、この吸湿性が不可欠である感湿センサーの基材上に隣接させて、上記ワックスや化学物質の熱融解現象が利用した感温センサーを固定したのでは、湿度によってこの感温センサーが誤作動を起こすおそれが極めて高く、従来のものにおいては、両者の両立は実際上困難であると言わざるを得なかった。
【００１１】
本発明者は、同一の基材上に感湿センサーと感温センサーとを設置し、狭小な装着スペースしかない携帯電話機などの精密電子機器の内部にも装着可能にすべく研究を行った結果、これを実現出来る不可逆的感温感湿センサーを開発することに成功し、本発明としてここに提案するものである。
【課題を解決するための手段】
【００１２】
予め設定された温度で融解する粉末状のワックスと粘ちょう剤とを練り合わせた、常温において不透明な感温物質からなる感温体と、予め設定された相対湿度を超過したとき、その事実を不可逆的に表示する感湿体とを同一の基材上に配置して不可逆的感温感湿センサーを構成することにより、上記課題を解決した。
【発明の効果】
【００１３】
基材の裏面に粘着剤層や接着剤層を設け、携帯電話機などの各種機器類の内部の目立たぬ部位に予め固定しておくものであり、基材上に形成されている感温体は、予め設定された限界温度を超過したときは、粉末状のワックスが融解して透明化し、それまでその下に隠れて見えなかった色彩面が上方から透けて見える様になり、恰もその部分が発色したかの如き状態を呈し、それによって限界温度超過の事実を表示することになる。その後、温度が低下したとしても、一旦透明化したワックスは不透明には戻らないので、限界温度超過の事実は不可逆的に表示され続ける。一方、限界湿度を超過したときは、基材上に形成されている感湿体は液状化し、この感湿体を中心に基材に円状に滲み出すことにより、円状のマークが出現し、これによって視覚的に限界湿度超過の事実を表示することになる。この円状のマークは、その後湿度が低下しても消えたり収縮することはないので、この限界湿度超過の事実も不可逆的に表示され続ける。
【００１４】
なお、この発明における感温体は常温では不透明である粉末状ワックスの熱融解作用を利用しており、従来のワックス利用感温体の様に、和紙などのマスキング材へのワックス浸み込み現象を利用したものではないので、水に強く、高湿度中に晒されたり、冠水したとしても、この感温体が誤作動誤発色することは全くなく、正常に作動し続けることが出来る。
【００１５】
この様に、この不可逆的感温感湿センサーにおいては、その上に形成されている感温体が湿気に強い為、同一の基板上に感温体と感湿体とを併存させることが可能で、狭小な設置スペースしかない携帯電話機などの精密電子機器の内部にも確実に装着出来、炎天下の自動車のダッシュボード上に放置した場合や水没させてしまった場合、あるいはサウナ風呂へ持ち込んでしまった場合など、ユーザーが当然に責任を負わなければならない様な故障原因も明確に特定し、商品管理及びアフターサービスをより有効に実施出来る効果を有する。
【発明を実施するための最良の形態】
【００１６】
共通の基材上に感湿体と共に、粉末状のワックスの熱融解作用を利用した感温体を形成した点に最大の特徴が存在する。
【実施例１】
【００１７】
図１はこの発明に係る不可逆的感温感湿センサーの実施例１の拡大斜視図、図２はその拡大断面図、図３は設定温度及び設定湿度を超過し、感温体と感湿体がそれぞれその事実を検知したときの状況を示した拡大斜視図、図４は携帯電話機に装着した状態の正面図である。
【００１８】
図中１はシート状をなした基材であり、吸湿性を有する紙などを素材としている。そしてこの基材１上には、任意の平面形状をなした色紙２が色彩面３を上にして固定されており、その上には予め設定された任意の温度で融解するワックスを粉末状に粉砕したものと適量の粘ちょう剤とからなる、常温において不透明な感温物質４が塗布されており、その上を透明フィルム５で被覆し、感温体６が形成されている。上記感温体６は本件出願人が特願２００４−２０８３１１（特開２００６−２９９４５）として提案したものと全く同じものである。なお、色紙２を用いず、基材１上に部分的に彩色を施し、その上に感温物質４を重畳する様にして感温体６を形成しても良い。
【００１９】
一方、この基材１上には、予め設定された相対湿度で液状化する着色された潮解性物質が、上記感温体６と若干の間隔をあけてスポット状に塗布され、感湿体７となっている。なお、この実施例１においては、潮解性物質の液状化現象を利用して設定湿度を検知する様にしたが、吸湿によって色調が変化する２塩化コバルト、塩化ニッケル、臭化コバルトなどの無水塩化合物を用いて色調変化によって設定湿度を検知する様にしても良い。
【００２０】
この実施例は、上記の通りの構成を有するものであり、基材１の表面に粘着剤層や接着剤層を設け、図４に示す様に、携帯電話機８などの各種機器類の内部の目立たぬ部位に予め固定しておくものであり、基材１上に形成されている感温体６は、予め設定された限界温度を超過したときは、粉末状のワックスが融解して透明化し、それまでその下に隠れており見えなかった彩色面３が図３に示す様に、上方から透けて見える様になり、恰もその部分が発色したかの如き状態を呈し、それによって限界温度超過の事実を表示することになる。その後、温度が低下したとしても、一旦透明化したワックスは不透明には戻らないので、限界温度超過の事実は不可逆的に表示され続ける。
【００２１】
一方、限界湿度を超過したときは、基材１上に形成されている感湿体７は液状化し、この感湿体７を中心に基材１に円状に滲み込み、図３に示す様に、円状のマーク８が出現し、それによって視覚的に限界湿度超過の事実を表示することになる。この円状のマーク８は、その後湿度が低下しても消えたり収縮することはないので、この限界湿度超過の事実も不可逆的に表示され続ける。
【００２２】
なお、この発明における感温体６は常温では不透明である粉末状ワックスの融解作用を利用しており、従来のワックス利用感温体の様に、和紙などのマスキング材へのワックス浸み込み現象を利用したものではないので、水に強く、高湿度中に晒されたり、冠水したとしてもこの感温体６が誤作動誤発色することは全くなく、正常に作動し続けることが出来る。
【００２３】
この様に、この不可逆的感温感湿センサーにおいては、その上に形成されている感温体６が湿気に強い為、同一の基板上に感温体６と感湿体７とを併存させることが可能で、狭小な設置スペースしかない携帯電話機などの精密電子機器の内部にも確実に装着出来、炎天下の自動車のダッシュボード上に放置した場合や水没させてしまった場合、あるいはサウナ風呂へ持ち込んでしまった場合など、ユーザーが当然に責任を負わなければならない様な故障原因も明確に特定し、商品管理及びアフターサービスをより有効に実施できる効果を有する。又、各種商品の輸送中や保管中の温度と湿度の管理に用いることが出来、特に船舶による輸送の際の商品管理用などとして有効である。
【産業上の利用可能性】
【００２４】
携帯電話機などの精密電子機器だけではなく、熱や湿度に弱いあらゆる精密機器の管理に利用可能である。
【図面の簡単な説明】
【００２５】
【図１】この発明に係る不可逆的な感温感湿センサーの実施例１の拡大斜視図。
【図２】同じく、その拡大断面図。
【図３】同じく、感温体及び感湿体がそれぞれ設定温度及び設定湿度超過の事実を検知したときの状態を示した正面図。
【図４】同じく、一例として、携帯電話機に装着した状況の正面図。
【符号の説明】
【００２６】
１    基材
２    色紙
３    彩色面
４    感湿物質
５    透明フィルム
６    感温体
７    感湿体
８    携帯電話機
【図１】
2009300090.tif 000003
【図２】
2009300090.tif 000004
【図３】
2009300090.tif 000005
【図４】
2009300090.tif 000006